(57)【要約】【課題】コンパクトな構成でありながら、空気中の微粒子を効果的に捕集することができる集塵装置を提供する。【解決手段】空気清浄機（５０）に搭載された集塵装置（１）は、放電を用いて空気中に浮遊する微粒子を第１の極性に帯電させるイオン化部（２）と、イオン化した微粒子を電気的に捕集する集塵部（３）とを備える。集塵部（３）は、可撓性を有し、複数の湾曲部を有するように螺旋錠に配設され、内部がイオン化した微粒子を含む空気の通風路となる誘電体チューブ（６）と、放電を用いて誘電体チューブ（６）を第１の極性とは逆の第２の極性に帯電させる帯電部（５）とを含んでいる。【選択図】図１
2018065090.tif 000002
【特許請求の範囲】
【請求項１】
放電を用いて空気中に浮遊する微粒子を第１の極性に帯電させるイオン化部と、
イオン化した微粒子を電気的に捕集する集塵部と、を備え、
前記集塵部は、
可撓性を有し、複数の湾曲部を有するように配設され、内部が前記イオン化した微粒子を含む空気の通風路となる誘電体チューブと、
放電を用いて前記誘電体チューブを前記第１の極性とは逆の第２の極性に帯電させる帯電部と、
を含むことを特徴とする集塵装置。
【請求項２】
前記誘電体チューブの周囲を絶縁する絶縁部を含むことを特徴とする請求項１に記載の集塵装置。
【請求項３】
前記絶縁部はケース部材であり、前記誘電体チューブは該ケース部材の内部に収容されてユニット化されており、
前記誘電体チューブと前記ケース部材とが、当該集塵装置に対し着脱自在であることを特徴とする請求項２に記載の集塵装置。
【請求項４】
前記誘電体チューブは、前記通風路の上流部分において上流側と下流側とに分割されていることを特徴とする請求項１から３の何れか１項に記載の集塵装置。
【請求項５】
前記誘電体チューブは、螺旋状に配設されていることを特徴とする請求項１から４の何れか１項に記載の集塵装置。
【請求項６】
前記誘電体チューブは、つづら折り状に配設されていることを特徴とする請求項１から４の何れか１項に記載の集塵装置。
【請求項７】
請求項１から６の何れか１項に記載の集塵装置を備えた空気清浄機。
【発明の詳細な説明】
【技術分野】
【０００１】
本発明は、空気清浄の分野において空気中に浮遊する微粒子を除去することができる集塵装置および空気清浄機に関する。
【背景技術】
【０００２】
空気中には塵埃をはじめとして、細菌や真菌，カビ菌，臭い原因菌，ウイルスなどの微生物、ダニの糞や死骸，花粉などのアレルギーを引き起こす物質（以下、アレル物質）、などの微粒子が浮遊している。埃などの大きな塵埃は、フィルタで捕集されるが、微細な塵埃や、微生物、アレル物質などの微粒子は、フィルタの網目を通過してしまい、フィルタでは除去できない。電気集塵技術を用いた集塵装置は、このようなフィルタの網目を通過するような微粒子を捕集することに優れている。
【０００３】
従来、この種の集塵装置として、放電によって空気中の微粒子を帯電するイオン化部と、電極を積層し、交互に異なる電圧を印加して電界を形成して帯電した微粒子を捕集する集塵部とを、空気の流れに沿って設ける構成が知られている。この構成を応用した例として、例えば特許文献１がある。特許文献１には、一方の面に通風路となるリブを設け、他方の面に電極を設けたシートを積層して前記電極に積層毎に交互に異なる電圧を印加する集塵部が示されている。
【先行技術文献】
【特許文献】
【０００４】
【特許文献１】特開２００６−１８７７３９号公報
【発明の概要】
【発明が解決しようとする課題】
【０００５】
しかしながら、従来の集塵装置の集塵部のように、積層されたシートの間を通過させる構成では、通風路の長さが短いため、空気中の微粒子を十分に捕集することはできない。また、捕集効果を上げるべく通風路を長くすると、装置自体が大型化するといった問題がある。
【０００６】
本発明は、上記問題に鑑みてなされたものであって、コンパクトな構成でありながら、空気中の微粒子を効果的に捕集することができる集塵装置を提供することを目的としている。
【課題を解決するための手段】
【０００７】
上記の課題を解決するために、本発明の一態様に係る集塵装置は、放電を用いて空気中に浮遊する微粒子を第１の極性に帯電させるイオン化部と、イオン化した微粒子を電気的に捕集する集塵部と、を備え、前記集塵部は、可撓性を有し、複数の湾曲部を有するように配設され、内部が前記イオン化した微粒子を含む空気の通風路となる誘電体チューブと、放電を用いて前記誘電体チューブを前記第１の極性とは逆の第２の極性に帯電させる帯電部と、を含む構成である。
【発明の効果】
【０００８】
本発明の一態様によれば、コンパクトな構成でありながら、空気中の微粒子を効果的に捕集することができる集塵装置を提供できるという効果を奏する。
【図面の簡単な説明】
【０００９】
【図１】本発明の実施の一形態に係る集塵装置が搭載された空気清浄機の概略構成を示す縦断側面図である。
【図２】図１に示す空気清浄機に搭載された集塵装置の構成を模式的に示すもので、（ａ）は縦断側面図、（ｂ）は縦断正面図、（ｃ）は上面図、（ｄ）は空気取込口のある側の側面図である。
【図３】図２に示す集塵装置の集塵部に配設される誘電体チューブの好ましい構成例を示す斜視図である。
【図４】本実施の他の実施の一形態に係る集塵装置の構成を模式的に示すもので、図２の（ｂ）に相当する縦断正面図である。
【図５】本発明のさらに他の実施の一形態に係る集塵装置が搭載された空気清浄機の概略構成を模式的に示す斜視図である。
【図６】図５に示す空気清浄機に搭載された集塵装置の構成を模式的に示すもので、（ａ）は縦断側面図、（ｂ）は縦断正面図、（ｃ）は上面図、（ｄ）は正面図、（ｅ）は帯電部のある側の側面図である。
【図７】図６に示す集塵装置の集塵部に配設される誘電体チューブの好ましい構成例を示す斜視図である。
【図８】本発明のさらに他の実施の一形態に係る集塵装置の構成を模式的に示すもので、（ａ）は縦断側面図、（ｂ）は上面図である。
【発明を実施するための形態】
【００１０】
本願出願人は、イオン発生方式の空気清浄機による浮遊菌の除菌効果を測定するために、空気中に浮遊する微粒子の回収を試みたが、思うように微粒子を回収することができなかった。その原因を探ったところ、回収経路に用いたシリコーンチューブの内壁に微粒子が付着していることがわかった。シリコーンチューブを除電して同様の回収を試みたところ、シリコーンチューブの内壁に付着する微粒子を減らし、回収量を上げることに成功した。このころから、帯電しやすいシリコーンチューブが電荷を帯び、逆極性の電荷を帯びた微粒子が内壁に電気的に吸着されていたことがわかった。
【００１１】
本願発明は、このような体験にヒントを得たもので、シリコーンチューブなどの帯電しやすい誘電体チューブを積極的に帯電させ、微粒子を誘電体チューブの内部に導入される前に逆極性に帯電させておくことで、誘電体チューブの内壁に積極的に吸着して捕集するものである。シリコーンチューブなどの可撓性のある誘電体チューブを利用することで、自由に曲げることができるので、コンパクトな空間に、長い通風路を確保することができる。
【００１２】
〔実施の形態１〕
本発明の実施の一形態について、図１〜図３を参照して説明する。図１は、本実施の形態に係る集塵装置１が搭載された空気清浄機５０の概略構成を示す縦断側面図である。但し、図１において、集塵装置１とそれ以外の部分とでは切断面が異なり、かつ、集塵装置１の断面は、模式的に示している。
【００１３】
図１に示すように、空気清浄機５０は、縦に長い矩形箱形のハウジング５１を備えている。ハウジング５１の内部は、隔壁部材６０により後面（背面）側の第１室５５と前面（正面）側の縦に延びる第２室５６とに分割されている。
【００１４】
第１室５５は、ハウジング５１の後面パネル５１ａに開設された多数の吸込口６１を介して外部に連通している。第２室５６は、ハウジング５１の天板５１ｂに開設された吹出口６２を介して外部に連通している。第１室５５と第２室５６とは、隔壁部材６０の下部に設けられた連通口６３を介して相互に連通している。
【００１５】
第１室５５の内部には、フィルタ部６５、加湿フィルタユニット５３、水槽５４および駆動モータ７０などが配置されている。第２室５６の内部には、送風機５２および集塵装置１などが配置されている。
【００１６】
フィルタ部６５は、後面パネル５１ａに沿って配置され、脱臭フィルタと集塵フィルタとを有する。加湿フィルタユニット５３および水槽５４は、吸込室５５における連通口６３側に、送風機５２と対向して配置されている。
【００１７】
加湿フィルタユニット５３は、中空の円盤形をなす保持枠（図示しない）の内部に加湿フィルタ６８を収納保持して構成されている。加湿フィルタ６８は、レーヨン等の吸水性を有すると共に通気が可能な材料製のシートを蛇腹状に折り重ねて平板状に形成されており、保持枠の内部に収納されている。
【００１８】
保持枠の外周面には、幅方向の中央部に全周に亘って歯が形成された適宜幅のリングギヤが一体に設けられている。リングギヤには、駆動モータ７０の伝動歯車（図示しない）と噛合された駆動歯車７１が噛合している。駆動モータ５８は第１室５５の内部に固定されており、駆動モータ７０が駆動することで、その回転力が、伝動歯車、駆動歯車、リングギヤを介して保持枠に伝わり、加湿フィルタユニット５３が回転する。
【００１９】
水槽５４は、矩形の深皿形をなしており、ハウジング５１の底板５１ｃ上に載置されている。水槽５４の上面は開口しており、加湿フィルタユニット５３は、下部を水槽５４の水に浸けた状態で、回転自在に支持されている。
【００２０】
加湿フィルタユニット５３および水槽５４は、ハウジング５１の底板５１ｃ上に載置された状態で、ハウジング５１の側板（図示しない）の一部と共に、空気清浄機５０の本体より着脱自在に構成されている。
【００２１】
送風機５２は、第２室５６の下部に配置されている。送風機５２は、羽根車５７と該羽根車５７を駆動する駆動モータ５８とを備えている。駆動モータ５８は第２室５６の内部に固定されており、羽根車５７は、駆動モータ５８の回転軸に連結され、連通口６３に対向配置されている。駆動モータ５８の駆動により羽根車５７が回転し、送風機５２は、回転軸方向から空気を吸引し、遠心方向へ空気を送り出す。
【００２２】
送風機５２の動作により、図１中に白抜矢印で示すように、外部から後面パネル５１ａの吸込口６１を経て第１室５５へ空気が流入する。流入した空気は、第１室５５の内部を前方向へ流れ、連通口６３を経て送風機５２に吸引され、スクロール（図示しない）の空気送出口５９から上向きの風として第２室の上部に導出される。
【００２３】
加湿機能がＯＮ状態にある場合、加湿フィルタユニット５３が吸水しているので、流入した空気は、第１室５５の内部を流れる間に加湿される。加湿機能がＯＦＦ状態にある場合は、加湿フィルタユニット５３が乾いているため、流入した空気は、加湿されることなく第１室５５の内部を通過する。
【００２４】
集塵装置１は、第２室５６における送風機５２の上方に配置されている。送風機５２の空気送出口５９から送り出された空気は、集塵装置１の空気導入口１０より集塵部本体４の内部に導入される。送風機５２の空気送出口５９と集塵装置１の空気導入口１０との間には、空気送出口５９から排出され空気を空気導入口１０に導くガイド（図示しない）などが設けられている。
【００２５】
集塵装置１は、フィルタ部６５にて除去できなかった空気中の微粒子を、集塵部３にて電気的に捕集するものである。上記微粒子は、微細な塵埃、細菌や真菌，カビ菌，臭い原因菌，ウイルスなどの微生物、ダニの糞や死骸，花粉などのアレル物質、などである。集塵装置１にて微粒子が除去された空気は、集塵装置１の空気排出口１１から排出され、空気清浄機５０の吹出口６２より外部へ放出される。
【００２６】
本実施の形態においては、集塵部３は、帯電部５を除く集塵部本体４が着脱自在であり、空気清浄機５０から取り出せるように構成されている。集塵部本体４は、天板５１ｂにおける吹出口６２の形成部を取り外して第２室５６の上端を開放することで、外部に取り出すことができる。
【００２７】
以下、図２を用いて、集塵装置１の構成について説明する。図２は、集塵装置１の構成を模式的に示すもので、（ａ）は縦断側面図、（ｂ）は縦断正面図、（ｃ）は上面図、（ｄ）は空気導入口１０のある側の側面図である。
【００２８】
（ａ）〜（ｄ）に示すように、集塵装置１は、イオン化部２と集塵部３とを備えている。イオン化部２は、放電を用いて空気中に浮遊する微粒子を第１の極性に帯電させるものである。本実施の形態においては、イオン化部２は、放電電極２ａを備えるイオン発生装置である。イオン化部２は、放電電極２ａが、送風機５２の空気送出口５９（図１参照）より排出され、空気導入口１０より集塵部３の内部に取り込まれる空気に対して放電するように、空気導入口１０の近傍に配設されている。イオン化部２は、空気中の微粒子を第１の極性、ここではマイナスに帯電させる。
【００２９】
なお、図２の（ａ）〜（ｄ）では、イオン化部２の放電電極２ａとして針状の放電部を有する構成を例示するが、放電部の形状はブラシ状であっても、棒状、線状、繊維状、面状など、どのような形状であってもよい。要は、空気中の微粒子を第１の極性に帯電できるものであればよい。
【００３０】
集塵部３は、イオン化部２にてイオン化された微粒子を電気的に捕集するものである。集塵部３は、集塵部本体４と帯電部５とを備える。集塵部本体４は、上述したように着脱自在であり、絶縁体からなるケース（絶縁部、ケース部材）７と、その内部に収容された誘電体チューブ６とを有し、ユニット化されている。
【００３１】
ケース７は、誘電体チューブ６の周囲を絶縁する。ケース７は、第２室５６の上部の形状に合う縦に長い矩形箱形に形成されている。ケース７の下部に上述した空気導入口１０が形成され、ケースの天面に上述した空気排出口１１が形成されている。また、ケース７の天面には、集塵部本体４の着脱を容易にするための把手１３が形成されている。
【００３２】
誘電体チューブ６は、可撓性を有し、複数の湾曲部を有するように配設され、内部がイオン化部２にてイオン化された微粒子を含む空気の通風路となる。誘電体チューブ６は、幾重（何重）にも巻回されている。誘電体チューブ６は、帯電部５にて、微粒子とは逆極性に帯電されることで、微粒子を電気的に引き寄せて捕集する。
【００３３】
本実施の形態においては、誘電体チューブ６は、断面形状が円形をなし、ケース７の内壁に沿って螺旋状に配設（巻回して配設）されている。誘電体チューブ６の一端６ａは空気導入口１０に位置し、他端６ｂは空気排出口１１に位置する。空気導入口１０に位置する端部６ａから入った空気が、誘電体チューブ６の内部を通って空気排出口１１に位置する端部６ｂから排出される。
【００３４】
誘電体チューブ６の内径は、２ｃｍ程度とすることが好ましい。内径が細くなり過ぎると、空気の流れの抵抗となって風量が低下し、集塵効果が低下する。内径が無駄に太くなると、螺旋状に配設した場合の誘電体チューブ６の全長が短くなってしまい、集塵効果が低下する。内径は、送風機５２の風量やケース７の大きさなどを考慮して、空気の流れを阻害しない範囲で、誘電体チューブ６の全長を可能なかぎり長く確保できるように設定すればよい。
【００３５】
図２の（ａ）（ｂ）では、１本の誘電体チューブ６が螺旋状に配設した構成を例示しているが、図３に示すように、複数本の誘電体チューブ６を束ねて螺旋状に配設する構成とすることが好ましい。このような構成とすることで、ケース７の内部の空間を有効に利用することができる。
【００３６】
本実施の形態においては、誘電体チューブ６として、シリコーンゴムからなるシリコーンチューブが用いられている。シリコーンゴムは、帯電性、可撓性、耐水性に優れる。帯電性に優れることで、帯電部５に印加する電圧を大きくする必要がない。可撓性に優れることで、容易に曲げることができ、ケース７の内壁に沿わせて巻回させるといった成形が容易に行え、自由度が高い。耐水性に優れることで、水洗いが可能となる。なお、誘電体チューブ６の材質としては、帯電性に優れ、可撓性を有するものであれば、他の材質でもよい。なお、耐水性は必須ではないが、水洗い可能とするためには、水に強い材質であることが望ましい。
【００３７】
誘電体チューブ６の体積抵抗率としては、１０の１０〜１４乗（Ω・ｍ）であることが好ましい。体積抵抗率をこのような範囲とすることで、誘電体チューブ６の外側（外表面側）から内側（内壁面側）へと微小な電荷が移動できるようになり、誘電体チューブ６の外側から電荷を付与しながら、誘電体チューブ６の内側に必要な電荷を付与することができる。
【００３８】
図２に戻り、帯電部５は、放電を用いて誘電体チューブ６を前記第１の極性とは逆極性、ここではプラスに帯電させるものである。本実施の形態においては、帯電部５は、複数の放電電極５ａを備えるイオン発生装置である。帯電部５は、イオン化部２と共に、空気清浄機５０側に固定されている。帯電部５における複数の放電電極５ａを備える棒状部分は、ケース７の底面に形成された開口１４よりケース７の内部に挿入される。ケース７の内部に挿入された棒状部分は、螺旋状に配設された誘電体チューブ６の中央の空間に挿通され、複数の放電電極５ａにて、中央の空間から誘電体チューブ６を帯電する。帯電部５における棒状部分を支える基台部分は、集塵部本体４が載置する台座としても機能している。帯電部５は、複数の放電電極５ａを備えることで、誘電体チューブ６の全体を帯電できる。
【００３９】
なお、図２の（ａ）（ｂ）では、放電電極５ａとして、針状の放電部を例示するが、放電電極５ａは、ブラシ状であっても、棒状、線状、繊維状、面状など、どのような形状であってもよい。また、棒状部分に複数の放電電極５ａを設けた構成に代えて、ワイヤ状の電極であってもよい。要は、誘電体チューブ６を第１の極性と逆極性に帯電できるものであればよい。
【００４０】
このような構成の集塵装置１においては、イオン化部２が、送風機５２の空気送出口５９から排出され、空気導入口１０から集塵部本体４の内部に導入される空気に対して放電し、空気中の微粒子をマイナスに帯電させる。空気導入口１０から内部に導入された空気は、空気導入口１０に位置する端部６ａから誘電体チューブ６の内部に入り、空気排出口１１に位置する端部６ｂに向かって流れる。その間、マイナスに帯電した微粒子は、プラスに帯電した誘電体チューブ６の内壁に電気的に引き寄せられて捕集され、空気排出口１１からは微粒子が除去された空気が放出される。
【００４１】
上記構成においては、誘電体チューブ６が螺旋状に幾重に巻回されて配設されているので、コンパクトでありながら長い通風路を確保することができ、微粒子を効果的に捕集することができる。
【００４２】
また、誘電体チューブ６が、耐水性に強い材質から構成されるとともに、帯電部５とは分離して設けられているので、水洗いすることができる。しかも、集塵部本体４が着脱自在に構成されているので、誘電体チューブ６の水洗いがより簡単に実施できる。
【００４３】
なお、本実施の形態においては、イオン化部２が微粒子をマイナスに帯電させ、帯電部５が誘電体チューブ６をプラスに帯電させる構成を例示したが、イオン化部２が微粒子をプラスに帯電させ、帯電部５が誘電体チューブ６をマイナスに帯電させる構成であってもよい。
【００４４】
〔実施の形態２〕
本発明のその他の実施の一形態について、図４を参照して説明する。なお、説明の便宜上、前述の実施の形態１にて説明した部材と同じ機能を有する部材については、同じ符号を付記し、その説明を省略する。
【００４５】
図４は、本実施の形態の集塵装置１の構成を模式的に示すもので、図２の（ｂ）に相当する縦断正面図である。
【００４６】
図４に示すように、本実施の形態においては、誘電体チューブ６は、空気排出口１１よりも空気導入口１０に近い通風路の上流部分において、上流側と下流側とに分割されている。具体的には、誘電体チューブ６にスリット１８が形成されており、スリット１８を挟んで上流側と下流側とに分割されている。図４の例では、スリット１８が２つ形成されており、これにより誘電体チューブ６は、３分割されている。
【００４７】
このように構成することで、帯電部５とは逆極性のイオン化部２による帯電効果で、誘電体チューブ６におけるイオン化部２に近い上流部分が除電されたとしても、その除電の広がりをスリット１８で止めて、誘電体チューブ６の全体に広がることを防ぐことができる。
【００４８】
〔実施の形態３〕
本発明のその他の実施の一形態について、図５〜図７を参照して説明する。なお、説明の便宜上、前述の実施の形態１、２にて説明した部材と同じ機能を有する部材については、同じ符号を付記し、その説明を省略する。
【００４９】
図５は、本実施の形態に係る集塵装置１Ａが搭載された空気清浄機８０の概略構成を模式的に示す斜視図である。図６は、集塵装置１Ａの構成を模式的に示すもので、（ａ）は縦断側面図、（ｂ）は縦断正面図、（ｃ）は上面図、（ｄ）は正面図、（ｅ）は帯電部５Ａのある側の側面図である。
【００５０】
図５に示すように、空気清浄機８０は、縦に長い矩形箱形のハウジング８１を備えている。ハウジング８１の内部の底部に、長い円筒状のクロスフローファン８２が配設されている。クロスフローファン８２は径方向より内側に取り込んだ空気を９０度程回転させた径方向に吹出すものである。外部から吸込口６１を経てハウジング８１内部に流入した空気は、クロスフローファン８２の内部に取り込まれ、図５中に白抜矢印で示すように、上向きに方向を変えて導出される。クロスフローファン８２を用いることで、その軸方向に沿った広い（横に長い）幅で空気を排出することができる。集塵装置１Ａは、クロスフローファン８２の上部に配置されている。イオン化部２Ａは、クロスフローファン８２の広い空気の排出幅に合わせて、横長に形成されている。
【００５１】
図６の（ａ）〜（ｅ）に示すように、集塵装置１Ａにおいて、集塵部３Ａにおける着脱自在に構成された集塵部本体４Ａは、縦に長い矩形箱形のケース７Ａを有する。該ケース７Ａの内部に、ケース７Ａの内部の空間を埋めるように、断面形状が長穴形状の誘電体チューブ１６がつづら折り状に配設（積層して配設）されている。誘電体チューブ１６は、幾重（何重）にも折り返されている。誘電体チューブ１６の材質にも、シリコーンゴムを用いている。
【００５２】
誘電体チューブ１６の下端１６ａは、ケース７Ａに形成された空気導入口１０に位置し、上端１６ｂはケース７Ａに形成された空気排出口１１に位置する。空気導入口１０に位置する下端１６ａから入った空気が、誘電体チューブ１６の内部を通って空気排出口１１に位置する上端１６ｂから排出される。
【００５３】
誘電体チューブ１６の内部の長穴形状の空洞の高さは３〜５ｃｍ程度とすることが好ましい。空洞の高さが低くなり過ぎると、空気の流れの抵抗となって風量が低下し、集塵効果が低下する。空洞が無駄に高くなると、つづら折り状に配置した場合の誘電体チューブ１６の全長が短くなってしまい、集塵効果が低下する。空洞の高さは、クロスフローファン８２の風量やケース７Ａの大きさなどを考慮して、空気の流れを阻害しない範囲で、誘電体チューブ１６の全長を可能なかぎり長くは確保できるように設定すればよい。なお、空洞の横幅は、クロスフローファン８２の幅に応じて決定すればよい。
【００５４】
図６の（ａ）（ｂ）では、１本の誘電体チューブ１６がつづら折り状に配設されている構成を例示しているが、図７に示すように、複数本の誘電体チューブ１６を積層してつづら折り状に配設する構成とすることが好ましい。このような構成とすることで、ケース７の内部の空間を有効に利用することができる。
【００５５】
図６に戻り、帯電部５Ａは、ケース７Ａの側壁側に固定されている。帯電部５Ａは、複数の放電電極５ａが、（ｅ）に示すように、ケース７Ａの側壁に底面から形成された、切欠き状の開口１４ａよりケース７Ａの内部に挿入される。ケース７Ａの内部に挿入された複数の放電電極５ａにて、つづら折り状に配設された誘電体チューブ１６を側方より帯電する。帯電部５Ａは、複数の放電電極５ａを備えることで、誘電体チューブ１６の全体を帯電できる。
【００５６】
〔実施の形態４〕
本発明のその他の実施の一形態について、図８を参照して説明する。なお、説明の便宜上、前述の実施の形態１〜３にて説明した部材と同じ機能を有する部材については、同じ符号を付記し、その説明を省略する。
【００５７】
図８は、底面が正方形の角柱状の外形を有する集塵装置１Ｂの構成を模式的に示すもので、（ａ）は縦断側面図、（ｂ）は上面図である。図８の（ａ）（ｂ）に示すように、集塵装置１Ｂにおいては、ケース７Ｂが、底面が正方形の中空の角柱状をなし、内部に誘電体チューブ６が螺旋状に配設されている。第２室５６の上部の、空気清浄機の送風機５２から吹出口６２までの空間の形状（図１参照）が、底面が正方形の角柱状の場合には、このような集塵装置１Ｂを搭載すればよい。
【００５８】
〔実施の形態５〕
本発明のその他の実施の一形態について説明する。なお、説明の便宜上、前述の実施の形態１〜４にて説明した部材と同じ機能を有する部材については、同じ符号を付記し、その説明を省略する。
【００５９】
前述の実施の形態１〜４にて説明した集塵装置１〜１Ｂでは、集塵部本体４〜４Ｂが着脱自在に構成されていた。これに対し、本実施の形態の集塵装置は、集塵部本体４〜４Ｂは取り外せない構成となっている。この場合、誘電体チューブ６、１６を水洗いすることはできないが、誘電体チューブ６、１６の長さを十分に長くすることで、集塵装置が搭載される空気清浄機等の電子機器の寿命まで、微粒子を捕集できる。
【００６０】
〔まとめ〕
本発明の態様１に係る集塵装置１は、放電を用いて空気中に浮遊する微粒子を第１の極性に帯電させるイオン化部２と、イオン化した微粒子を電気的に捕集する集塵部３と、を備え、前記集塵部は、可撓性を有し、複数の湾曲部を有するように配設され、内部が前記イオン化した微粒子を含む空気の通風路となる誘電体チューブ６（１６）と、放電を用いて前記誘電体チューブを前記第１の極性とは逆の第２の極性に帯電させる帯電部５と、を含んでいる。
【００６１】
上記構成によれば、イオン化部にて、空気に含まれて浮遊する、微細な塵埃、細菌や真菌，カビ菌，臭い原因菌，ウイルスなどの微生物、ダニの糞や死骸，花粉などのアレルギーを引き起こす物質（以下、アレル物質）、などの微粒子が、第１の極性に帯電される。イオン化した微粒子は、空気の流れに乗って、誘電体チューブ６の内部に導かれる。誘電体チューブ６は、帯電部５にて逆極性の第２の極性に帯電されているので、イオン化した微粒子は、誘電体チューブ６を通過する間に、誘電体チューブ６の内壁に電気的に引き付けられて捕集される。
【００６２】
ここで、誘電体チューブ６は、複数の湾曲部を有するように配設されているので、誘電体チューブ６の配設する空間が小さくても通風路の長さを確保することができる。その結果、コンパクトな構成でありながら、集塵効果を上げることができる。
【００６３】
本発明の態様２に係る集塵装置１は、上記態様１において、前記誘電体チューブ６の周囲を絶縁する絶縁部（ケース７，７Ａ）を含む構成であってもよい。
【００６４】
上記構成によれば、誘電体チューブ６の周囲が絶縁部にて絶縁されるので、誘電体チューブ６と導電体との接触を防止して、第２の極性に帯電した状態を確実に保持することができる。
【００６５】
本発明の態様３に係る集塵装置１は、上記態様２において、前記絶縁部はケース部材（ケース７）であり、前記誘電体チューブ６は該ケース部材の内部に収容されてユニット化されており、前記誘電体チューブ６と前記ケース部材とが、当該集塵装置に対して着脱自在である構成であってもよい。
【００６６】
上記構成によれば、前記誘電体チューブ６と前記ケース部材とが、着脱自在であるので、誘電体チューブの清掃等を容易に行うことができる。
【００６７】
本発明の態様４に係る集塵装置１は、上記態様１、２または３において、前記誘電体チューブ６は、前記通風路の上流部分において上流側と下流側とに分割されている（スリット１８）構成とすることもできる。
【００６８】
上記構成によれば、誘電体チューブ６が、通風路の上流部分において上流側と下流側とに分割されているので、イオン化部２による帯電の効果で通風路の上流部分が除電されたとしても、その除電の広がりを分割部分で止めて、誘電体チューブ６の全体に広がることを防ぐことができる。
【００６９】
本発明の態様５に係る集塵装置１は、上記態様１、２、３または４において、前記誘電体チューブ６の材質がシリコーンゴムである構成とすることもできる。
【００７０】
上記構成によれば、誘電体チューブ６の材質として、帯電性、可撓性、耐水性に優れるシリコーンゴムを用いているので、製造しやすく、かつ、水洗いも可能となる。
【００７１】
本発明の態様６に係る集塵装置１は、上記態様１、２、３、４または５において、前記誘電体チューブ６は、螺旋状に配設されている構成とすることもできる。
【００７２】
上記構成によれば、誘電体チューブを螺旋状に配設することで、上記態様１、２、３、４または５の集塵装置を容易に実現することができる。
【００７３】
本発明の態様７に係る集塵装置１は、上記態様１、２、３、４または５において、前記誘電体チューブ１６は、つづら折り状に配設されている構成とすることもできる。
【００７４】
上記構成によれば、誘電体チューブ１６をつづら折り状に配設することで、上記態様１、２、３、４または５の集塵装置を容易に実現することができる。
【００７５】
本発明の態様８に係る空気清浄機５０（８０）は、上記態様１、２、３、４、５または７の集塵装置を備えた空気清浄機である。
【００７６】
上記構成によれば、コンパクトな構成でありながら、集塵効果の高い集塵装置１を搭載しているので、上述した微細な塵埃、微生物、アレル物質、などの集塵効果の高い、空気清浄機を提供することができる。
【００７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７８】
５０、８０  空気清浄機
１、１Ａ、１Ｂ  集塵装置
２、２Ａ  イオン化部
２ａ、５ａ  放電電極
３、３Ａ  集塵部
４、４Ａ  集塵部本体
５、５Ａ  帯電部
６、１６  誘電体チューブ
７、７Ａ  ケース（絶縁部、ケース部材）
１０  空気導入口
１１  空気排出口
１８  スリット
５１、８１  ハウジング
５２  送風機
５９  空気送出口
８２  クロスフローファン
【図１】
2018065090.tif 000003
【図２】
2018065090.tif 000004
【図３】
2018065090.tif 000005
【図４】
2018065090.tif 000006
【図５】
2018065090.tif 000007
【図６】
2018065090.tif 000008
【図７】
2018065090.tif 000009
【図８】
2018065090.tif 000010